(57)【要約】【課題】子供の頭部の保護に重点を置いた育児器具を提供する。【解決手段】乳母車１は、１対の側部縦フレーム部材１２を含む本体フレーム１０と、背もたれシート部２２を含む座席ハンモック２０と、背面サポート３０と、上端連結部材４０とを備える。背面サポート３０は、背もたれシート部２２を背面側から後傾可能に支えるように延びている背面紐部材３１，３２を含む。上端連結部材４０は、背もたれシート部２２の上方端部の幅方向全長に亘って延びその両端が１対の側部縦フレーム部材１２に連結されている上端紐部材を含む。上端連結部材４０は、背もたれシート部２２の後傾角度が所定の値になるまでは負荷がかからない弛んだ状態であり、背もたれシート部２２の後傾角度が所定の値から最大後傾角度に至るまでは負荷がかかって緊張した状態となり背もたれシート部の上方端部の後方への移動を禁止するように、その長さが選ばれている。【選択図】　　　　図４
2004058985.tif 000002
【特許請求の範囲】
【請求項１】
座面支持部材と、前記座面支持部材の後方端領域の両側部から上方に立ちあがって延びる１対の側部縦フレーム部材とを含む本体フレームと、
前記座面支持部材の上に延在する座面シート部と、前記座面シート部の後方端縁に接続されて前記１対の側部縦フレーム部材の間に延在する背もたれシート部とを含む座席ハンモックと、
前記背もたれシート部を背面側から後傾可能に支えるように、前記本体フレームに連結されている背面サポートと、
前記背もたれシート部の上方端部と前記１対の側部縦フレーム部材とを連結する上端連結部材とを備え、
前記上端連結部材は、後傾状態にある前記背もたれシート部の上方端部を起立させるように、その長さが選ばれている、育児器具。
【請求項２】
前記上端連結部材は、前記背もたれシート部の後傾角度が所定の値になるまでは負荷がかからない弛んだ状態であり、前記背もたれシート部の後傾角度が所定の値から最大後傾角度に至るまでは負荷がかかって緊張した状態となり前記背もたれシート部の上方端部の後方への移動を禁止するように、その長さが選ばれている、請求項１に記載の育児器具。
【請求項３】
当該育児器具は、椅子状の形態およびベッド状の形態を取ることが可能であり、
前記上端連結部材は、前記ベッド状の形態で前記背もたれシート部の上方端部を起立させるように、その長さが選ばれている、請求項１または２に記載の育児器具。
【請求項４】
前記上端連結部材は、前記背もたれシート部の上方端部の幅方向全長に亘って延びその両端が前記１対の側部縦フレーム部材に連結されている上端紐部材を含む、請求項１〜３のいずれか１項に記載の育児器具。
【請求項５】
前記上端連結部材は、前記座席ハンモックを構成している縫製生地によって形成されている、請求項１〜３のいずれか１項に記載の育児器具。
【請求項６】
前記上端連結部材は、前記座席ハンモックの補強された上方端縁によって形成されている、請求項１〜３のいずれか１項に記載の育児器具。
【請求項７】
前記背面サポートは、前記背もたれシート部の背面の幅方向全長に亘って延びその両端が前記１対の側部縦フレーム部材に連結されている背面紐部材を含む、請求項１〜６のいずれか１項に記載の育児器具。
【請求項８】
前記背もたれシート部は、その上方端領域に位置する頭部芯材と、前記頭部芯材の下方端に屈曲可能に連結された背面芯材とを含み、
前記背もたれシート部の後傾角度が所定の値から最大後傾角度に至るまでは前記頭部芯材と前記背面芯材とは屈曲した状態となっている、請求項１〜７のいずれか１項に記載の育児器具。
【請求項９】
前記頭部芯材および前記背面芯材は、両者の屈曲点となる切り込みを背面に形成した１枚の連続した平板である、請求項８に記載の育児器具。
【請求項１０】
前記ハンモックは、前記背もたれシート部の両側縁から立ちあがって前方に張出している１対の側面シート部を含み、
前記各側面シート部は、着座した子供の頭部の高さに対応した位置に保護パッドを含む、請求項１〜９のいずれか１項に記載の育児器具。
【請求項１１】
当該育児器具は、椅子状の形態およびベッド状の形態を取ることが可能な乳母車であり、
椅子状の形態において、前記１対の側面シート部は、前記１対の側部縦フレーム部材よりも前方に張出しており、
ベッド状の形態において、前記１対の側面シート部は、前記１対の側部縦フレーム部材よりも後方に位置している、請求項１０に記載の育児器具。
【発明の詳細な説明】
【０００１】
【発明の属する技術分野】
この発明は、座席を備える育児器具に関するものであり、特に背もたれ部が後傾可能な育児器具に関するものである。
【０００２】
【従来の技術】
背もたれ部が後傾可能な座席を備える育児器具として、乳母車、子供椅子、チャイルドシート、ベビーラック等が知られている。以下には、典型的な育児器具の例として、乳母車を例にして説明する。
【０００３】
実開平７−４２４８号公報は、車体フレーム上にハンモックを装着した軽量タイプの乳母車を開示している。ハンモックの背もたれ部は背面側からベルト部材によって支えられており、ベルトの長さを調節することによって背もたれ部の後傾角度を変更できる。この種の乳母車であれば、背もたれ部のリクライニング構造を非常にシンプルにして軽量化を実現できる。
【０００４】
乳母車は、通常、子供を座席上に拘束するための股ベルトおよび腰ベルトを備えている。これらのベルトにより、子供が座席から前方および側方に飛び出すのを防止することができる。
【０００５】
【発明が解決しようとする課題】
実開平７−４２４８号公報に開示されたような軽量タイプの乳母車の場合、座席の上方、すなわちハンモックの背もたれ部の上方は、開放されている。股ベルトおよび腰ベルトは、子供の前方および側方への飛び出しを防止するのには有効であるが、上方への飛び出しに対してはあまり有効に作用しない。
【０００６】
特に、背もたれ部を大きく後傾させてベッド状の形態をとることができるような乳母車にあっては、ベッド状態の時の子供の上方への飛び出し（背もたれ部に沿って後ろ上方に移動して飛び出すこと）が心配である。
【０００７】
赤ちゃんの脳は、胎生７ヶ月から生後３歳までの間に最も成長するといわれている。そのため、特に乳幼児を収容する育児器具においては、頭部の保護が重要である。
【０００８】
この発明の目的は、子供の頭部の保護に重点を置いた育児器具を提供することである。
【０００９】
【課題を解決するための手段】
この発明に従った育児器具は、本体フレームと、座席ハンモックと、背面サポートと、上端連結部材とを備える。本体フレームは、座面支持部材と、この座面支持部材の後方端領域の両側部から上方に立ちあがって延びる１対の側部縦フレーム部材とを含む。座席ハンモックは、座面支持部材の上に延在する座面シート部と、この座面シート部の後方端縁に接続されて１対の側部縦フレーム部材の間に延在する背もたれシート部とを含む。背面サポートは、背もたれシート部を背面側から後傾可能に支えるように、本体フレームに連結されている。上端連結部材は、背もたれシート部の上方端部と１対の側部縦フレーム部材とを連結する。上端連結部材は、後傾状態にある背もたれシート部の上方端部を起立させるように、その長さが選ばれている。
【００１０】
上記構成の育児器具によれば、背もたれシート部が後方に傾斜した状態では、背もたれシート部の上方端領域が残りの背もたれシート部に対して起立し、子供の頭頂部を覆うような形状となる。
【００１１】
一つの好ましい実施形態では、上端連結部材は、背もたれシート部の後傾角度が所定の値になるまでは負荷がかからない弛んだ状態であり、背もたれシート部の後傾角度が所定の値から最大後傾角度に至るまでは負荷がかかって緊張した状態となり背もたれシート部の上方端部の後方への移動を禁止するように、その長さが選ばれている。このような構成であれば、背もたれシート部が所定の後傾角度に至るまでは、背もたれシート部全体が一体となって後傾動作を行なう。一方、背もたれシート部の後傾角度が所定の値になると、背もたれシート部の上方端は緊張した状態となってその位置が固定される。したがって、背もたれシート部を所定の角度を越えてさらに大きく後傾させると、背もたれシート部の上方端領域が残りの背もたれシート部に対して屈曲し子供の頭頂部を覆うような形状となる。
【００１２】
育児器具が椅子状の形態とベッド状の形態とを取ることが可能であれば、好ましくは、上端連結部材は、ベッド状の形態で背もたれシート部の上方端部を起立させるように、その長さが選ばれている。
【００１３】
上端連結部材は、好ましくは、背もたれシート部の上方端部の幅方向全長に亘って延びその両端が１対の側部縦フレーム部材に連結されている上端紐部材を含む。このようにすれば、非常に単純な機構で、背もたれシート部の上方端領域の屈曲形状を得ることができる。
【００１４】
上端連結部材を、座席ハンモックを構成している縫製生地によって形成するようにしてもよい。あるいは、上端連結部材を、座席ハンモックの補強された上方端縁によって形成するようにしてもよい。
【００１５】
背面サポートは、好ましくは、背もたれシート部の背面の幅方向全長に亘って延びその両端が１対の側部縦フレーム部材に連結されている背面紐部材を含む。このようにすれば、背もたれ部のリクライニング機構を非常にシンプルにすることができるので、育児器具の軽量化を実現できる。
【００１６】
背もたれシート部は、好ましくは、その上方端領域に位置する頭部芯材と、この頭部芯材の下方端に屈曲可能に連結された背面芯材とを含む。背もたれシート部の後傾角度が所定の値から最大後傾角度に至るまでは頭部芯材と背面芯材とは屈曲した状態となっている。頭部芯材および背面芯材を備えることにより、安定した屈曲形状を得ることができる。頭部芯材および背面芯材は、好ましくは、両者の屈曲点となる切り込みを背面に形成した１枚の連続した平板である。
【００１７】
ハンモックは、好ましくは、背もたれシート部の両側縁から立ちあがって前方に張出している１対の側面シート部を含む。各側面シート部は、着座した子供の頭部の高さに対応した位置に保護パッドを含む。このようにすれば、側方からの衝撃に対して、子供の頭部を保護できる。
【００１８】
当該育児器具は、典型的には、椅子状の形態およびベッド状の形態を取ることが可能な乳母車である。椅子状の形態において、保護パッドを有する１対の側面シート部は、１対の側部縦フレーム部材よりも前方に張出している。ベッド状の形態において、１対の側面シート部は、１対の側部縦フレーム部材よりも後方に位置している。このような構成であれば、椅子状およびベッド状の両状態において、側方からの衝撃に対して子供の頭部を保護できる。
【００１９】
【発明の実施の形態】
図面を参照しながら、この発明の一実施形態を説明する。
【００２０】
図示する乳母車１は、使用状態において、図１〜図３に示す椅子状の形態および図４に示すベッド状の形態を取ることができる。また、図５に示すように、乳母車１は、折り畳み状態において、幅方向の寸法が縮小して自立する。幅方向に縮小して折り畳むための機構は、この分野においてよく知られているので、詳しい図示および説明を省略する。
【００２１】
図１〜図３に示すように、乳母車１は、車体を構成する本体フレーム１０と、その上に装着される座席ハンモック２０とを備える。本体フレーム１０は、座面を支持する座面支持部材１１と、座面支持部材１１の後方端両側部から上方に立ちあがって延びる１対の側部縦フレーム部材１２とを含む。１対の側部縦フレーム部材１２の上方端は、逆Ｕ字状連結部材１３によって連結されている。１対の側部縦フレーム部材１２と逆Ｕ字状連結部材１３とによって、乳母車を移動操作するための押し棒を構成する。
【００２２】
座席ハンモック２０は、本体フレームの座面支持部材１１の上に延在する座面シート部２１と、座面シート部２１の後方端縁に接続されて１対の側部縦フレーム部材１２の間に延在する背もたれシート部２２と、背もたれシート部２２の両側縁から立ちあがって前方に張出している１対の側面シート部２３とを含む。
【００２３】
座席ハンモック２０の背もたれシート部２２および座面シート部２１には、図１０に示す１枚の連続した平板形状の芯材５０が入っている。芯材５０は、堅い樹脂プレート５５と、その上に貼着されたクッション材５４と含む。この芯材５０は、頭部芯材５１、背面芯材５２および座面芯材５３の３つの領域に分割される。
【００２４】
図１１に示すように、頭部芯材５１と、背面芯材５２とは、背面側の樹脂プレート５５に設けた切り込み５６の存在によって、屈曲可能に連結される。屈曲可能に連結するためのヒンジは、切り込みによって形成された樹脂プレート５５の薄肉部分によって形成される。図１１に示す状態では、頭部芯材５１が背面芯材５２から立ちあがっている。この状態から、頭部芯材５１を時計方向に回動させて背面芯材５２と同一平面になるようにすると、頭部芯材５１の樹脂プレートの端面と背面芯材５２の樹脂プレートの端面とが突き当たるようになるので、両者の同一平面状態は安定に維持される。
【００２５】
図１２に示すように、背面芯材５２と、座面芯材５３とは、背面側の樹脂プレート５５に設けた３箇所の切り込み５７の存在によって、滑らかに屈曲するように連結される。屈曲可能に連結するためのヒンジは、切り込みによって形成された樹脂プレート５５の薄肉部分によって形成される。３箇所の切り込み５７を設けることにより、背面芯材５２と座面芯材５３とが滑らかに湾曲してつながるので、着座した子供の尻を広い面積で安定して支えることができる。
【００２６】
図１０に示すように、背面芯材５２および頭部芯材５１は、上方に行くほど幅が広くなるテ−パ形状になっている。好ましくは、背面芯材５２および頭部芯材５１の最大幅寸法部分は、図１５に示すように、背もたれシート部２２の幅寸法全体に亘るようにする。
【００２７】
上記のように背面芯材５２および頭部芯材５１を広い幅寸法にし、かつ座面芯材５３と背面芯材５２とを連続した１枚の芯材によって構成することにより、図示するような軽量タイプの乳母車１においても、背もたれシート部２２の姿勢を安定に維持することができるようになる。
【００２８】
幅方向に縮小して折り畳まれる従来の軽量タイプの乳母車においては、折り畳み動作に支障を来さないようにするために、座面芯材と背面芯材とを分離し、さらにそれらの芯材の幅寸法を小さくしていた。子供が座席に着座している時には、股ベルトおよび腰ベルトによって子供を拘束するので、座面シート部の動きは抑制される。一方、背もたれシート部は、座面シート部に対してハンモックの生地のみによって連結された状態であり、しかも背面芯材の幅寸法が小さいので、乳母車の移動に伴う振動によって背もたれシート部が横揺れしてしまう。
【００２９】
それに対して、図示した乳母車１では、特に背面芯材５２と座面芯材５３とを１枚の共通した芯材によって形成することにより、背もたれシート部２２の横揺れを極力少なくすることができる。この効果は、背面芯材５２の幅寸法を大きくし、この背面芯材５２を背もたれシート部２２の幅寸法全長に占めるようにすれば、一層高められる。
【００３０】
図１５は乳母車１の使用状態を示し、図１６は乳母車１の折り畳み状態を示している。図１５および図１６を比較すれば明らかなように、乳母車の折り畳み状態においては、１対の側部縦フレーム部材１２の間隔は、狭められる。背面芯材５２は、図１５に示す使用状態においては、背もたれシート部２２の幅寸法全長を占めている。図１６に示す折り畳み状態においては、背面芯材５２を含む背もたれシート部２２は、特に幅方向に折れ曲がることなく、１対の側部縦フレーム部材１２の背後に位置する。このような折り畳み構造であるので、背面芯材５２の幅寸法を大きくしても、幅方向に縮小する乳母車の折り畳み動作に支障を来さない。
【００３１】
図１５に示すように、１対の側面シート部２３は、着座した子供の頭部の高さに対応した位置に保護パッド６０を含む。図１および図１５に示す椅子状の形態において、保護パッド６０を含む１対の側面シート部２３は、１対の側部縦フレーム部材１２よりも前方に張出している。一方、図４に示すベッド状の形態では、保護パッドを含む側面シート部２３は、１対の側部縦フレーム部材１２よりも後方に位置している。こうして、図示した乳母車１では、椅子状およびベッド状の両形態において、側方からの衝撃に対して子供の頭部を保護できる。
【００３２】
次に、乳母車１を、図１〜図３に示す椅子状の形態から図４に示すベッド状の形態に移行させるための機構を説明する。
【００３３】
図３に明瞭に示すように、乳母車１は、背もたれシート部２２を背面側から後傾可能に支えるように、本体フレーム１０に連結されている背面サポート３０を含む。背面サポート３０の詳細を図３、図１３および図１４を参照して説明する。
【００３４】
背面サポート３０は、背もたれシート部２２の背面の幅方向全長に亘って延びその両端が１対の側部縦フレーム１２に連結されている背面紐部材を含む。背面紐部材は、図示した実施形態では、左右のベルト３１と、左右の紐３２と、ロック部材３３とから構成される。左右のベルト３１は、一方端が１対の側部縦フレーム部材１２に連結されている。ハンモックの背もたれシート部２２の背面には、左右のベルト３１を通すための１対の案内袋帯２４が縫い付けられている。図１４に示すように、案内袋帯２４内を通された左右のベルト３１の他方端部に、左右の紐３２が連結される。
【００３５】
左右の紐３２は、ロック部材３３内を通過する。ロック部材３３は、ケース３４と、上下に移動できるつまみ３５と、つまみ３５の上方端に位置する爪部３６と、つまみ３５を上方に移動するように付勢するばね３７とを備える。背もたれシート部２２に背後方向への荷重がかかると、左右のベルト３１に対して互いに遠ざけるような力が作用するが、ロック部材３３の爪部３６とケース３４とが左右の紐３２に食い込んで、左右の紐３２が上方に移動するのを阻止する。こうして、背もたれシート部２２の姿勢は、背面サポート３０によって安定に維持される。
【００３６】
椅子状の形態から図４に示すベッド状の形態に移行させようとする場合には、ロック部材３３のつまみ３５を指で掴んで下方に引き下げるだけでよい。つまみ３５を引き下げることにより、左右の紐３２に対する爪部３６の食い込みが解除されるので、背もたれシート部２２を容易に後方に倒すことができる。背もたれシート部２２が所望の角度位置になったときにつまみ３５から指を離せば、ばね３７によって付勢された爪部３６が左右の紐３２に食い込んで背もたれシート部２２の位置を固定する。
【００３７】
図４に示すように、背もたれシート部２２をベッド状の形態になるまで後方に傾斜させると、背もたれシート部２２の上方端領域２５が、残りの背もたれシート部に対して屈曲し子供の頭頂部を覆うような形状となる。このような形状の変化は、背もたれシート部２２の上方端部と１対の側部縦フレーム部材１２とを連結する上端連結部材４０を設けることによって達成される。
【００３８】
図４および図１３から明らかなように、座席ハンモック２０の上方端には、帯状または紐状の形態である上端連結部材４０が装着されている。この上端連結部材４０は、座席ハンモック２０の上方端に縫い付けられた案内袋帯４１内を通っている。座席ハンモック２０の１対の側面シート部２３は、１対の側部縦フレーム部材１２に巻き付いた状態で固定される。具体的には、側面シート部２３に取りつけられている雄ボタン２６および雌ボタン２７が、側部縦フレーム部材に取りつけられている雌ボタン１４および雄ボタン１５に嵌る。
【００３９】
上端連結部材４０の長さは、以下の動作を達成するように適切に選ぶ必要がある。すなわち、上端連結部材４０は、後傾状態にある背もたれシート部２２の上方端部を起立させるように、その長さが選ばれている。図示した実施形態では、背もたれシート部２２の後傾角度が所定の値になるまでは、上端連結部材４０は、図３に示すように、負荷がかからない弛んだ状態である。一方、背もたれシート部２２の後傾角度が所定の値になると、上端連結部材４０は緊張した状態となり、背もたれシート部２２の上方端の位置を固定する。したがって、背もたれシート部２２を所定の角度を越えてさらに大きく後傾させると、背もたれシート部２２の上方端領域２５は、図４に示すように、残りの背もたれシート部に対して屈曲し、子供の頭頂部を覆うような形状となる。
【００４０】
図示した乳母車１は、折り畳んだ状態での持ち運びに便宜を与えるための構造を有している。このことを図６〜図９および図１３を参照して説明する。
【００４１】
図７および図９に示すように、折り畳んだ状態の乳母車１を吊り下げベルト２によって肩で保持できるようにすれば、乳母車の持ち運びが容易である。この場合、図７に示すように乳母車を縦に保持する形態と、図９に示すように乳母車を横に保持する形態とを適宜選択できるようにすると便利である。さらに、左右の肩のいずれでも保持できるようにすると便利である。
【００４２】
上記のことを実現するために、乳母車は、吊り下げベルト２と、この吊り下げベルト２の端部を連結するための４箇所のベルト連結ポイントとを備えている。ベルト連結ポイントは、重量バランスを取るために、折り畳んだ状態の乳母車の重心を挟んで上方領域の左右の位置、および下方領域の左右の位置に設けるのが好ましい。また、吊り下げベルト２は、常時乳母車に連結していてもよいが、その存在が座席に着座している子供の邪魔にならないようにするために、ベルト連結ポイントを乳母車の背面側に設けるのが好ましい。
【００４３】
図示した実施形態では、図６および図１３に示すように、上方のベルト連結ポイントとして、１対の側部縦フレーム部材１２に止め輪１６を取りつけている。これらの図では、一方の側部の止め輪１６のみが示されているが、他方の側部の同じ位置に同様の止め輪が取りつけられている。吊り下げベルト２は、その両端に、公知の構造のフックを有している。図６に示すように、吊り下げベルト２を上方の２箇所のベルト連結ポイントに連結すれば、図７に示すように折り畳んだ状態の乳母車を縦に保持することができる。
【００４４】
下方のベルト連結ポイントとして、図示した実施形態では、座面を支持する部材の後端に止め輪１７を取り付けている。図示していない他方の側部においても、同様の止め輪１７が設けられている。図８に示すように、右上方の止め輪１６と左下方の止め輪１７とに吊り下げベルト２を連結すれば、図９に示すように、折り畳んだ状態の乳母車を横に保持することができる。
【００４５】
以上、この発明の一実施形態を図面を参照して詳細に説明したが、それらは例示的なものであり、種々の修正や変更が可能である。以下に、そのいくつかを列挙して説明する。
【００４６】
（１）　育児器具の典型的な例として乳母車を例示したが、この発明は、子供椅子、チャイルドシート、ベビーラック等の育児器具にも適用可能である。要するに、座席の背もたれ部が後傾可能になっている育児器具に適用可能である。
【００４７】
（２）　図示した実施形態では、背面サポートは、背もたれシート部の背面の幅方向全長に亘って延びその両端が１対の側部縦フレーム部材に連結されている背面紐部材を含むものであったが、背面紐部材を用いない公知のリクライニング機構を用いてもよい。
【００４８】
（３）　図示した実施形態では、上端連結部材は、背もたれシート部の上方端部の幅方向全長に亘って延びその両端が１対の側部縦フレーム部材に連結されている上端紐部材を含むものであった。「紐部材」は、座席ハンモックとは別に設けられた「紐」だけでなく、座席ハンモックの補強された上方端縁を包含するものであると解釈すべきである。また、上端連結部材は、「紐」状の部材だけに限定されるものではない。例えば、背もたれシート部の上方領域の両側部と、１対の側部縦フレーム部材とを連結するリンク部材等であってもよい。
【００４９】
（４）　図示した実施形態では、背もたれシート部はベッド状の形態となるまで後方に傾斜することが可能であった。しかしながら、この発明は、背もたれシート部が後方に傾斜可能な座席を有する育児器具に適用可能であり、必ずしも背もたれシート部がベッド状になるまで後傾しなくてもよい。
【図面の簡単な説明】
【図１】この発明の一実施形態の乳母車を前方側から見た斜視図である。
【図２】乳母車の側面図である。
【図３】乳母車を後方側から見た斜視図である。
【図４】背もたれシート部を後傾させてベッド状の形態にした乳母車を示す斜視図である。
【図５】幅方向に縮小して折り畳まれた状態の乳母車を示す側面図である。
【図６】吊り下げベルト両端を上方のベルト連結ポイントに連結した状態を示す図である。
【図７】折り畳んだ乳母車を縦に保持している様子を示す図である。
【図８】吊り下げベルトの一方端を上方のベルト連結ポイントに連結し、他方端を下方のベルト連結ポイントに連結した状態を示す図である。
【図９】折り畳んだ乳母車を横に保持している様子を示す図である。
【図１０】芯材を示す斜視図である。
【図１１】頭部芯材と背面芯材との連結部分を示す側面図である。
【図１２】背面芯材と座面芯材との連結部分を示す側面図である。
【図１３】乳母車の側面および背面を詳細に示す斜視図である。
【図１４】背面サポートを示す図であり、ロック部材を断面にして示している。
【図１５】椅子状の形態になっている乳母車の座席部分を上方から見た断面図である。
【図１６】折り畳まれた乳母車の座席部分を上方から見た断面図である。
【符号の説明】
１　乳母車、２　吊り下げベルト、１０　本体フレーム、１１　座面支持部材、１２　側部縦フレーム部材、２０　座席ハンモック、２１　座面シート部、２２　背もたれシート部、２３　側面シート部、２４　案内袋帯、２５　上方端領域、３０　背面サポート、３１　ベルト、３２　紐、３３　ロック部材、３４　ケース、３５　つまみ、３６　爪部、３７　ばね、４０　上端連結部材、４１　案内袋帯、５０　芯材、５１　頭部芯材、５２　背面芯材、５３　座面芯材、５４　クッション材、５５　樹脂プレート、５６　切り込み、５７　切り込み、６０　保護パッド。
【図１】
2004058985.tif 000003
【図２】
2004058985.tif 000004
【図３】
2004058985.tif 000005
【図４】
2004058985.tif 000006
【図５】
2004058985.tif 000007
【図６】
2004058985.tif 000008
【図７】
2004058985.tif 000009
【図８】
2004058985.tif 000010
【図９】
2004058985.tif 000011
【図１０】
2004058985.tif 000012
【図１１】
2004058985.tif 000013
【図１２】
2004058985.tif 000014
【図１３】
2004058985.tif 000015
【図１４】
2004058985.tif 000016
【図１５】
2004058985.tif 000017
【図１６】
2004058985.tif 000018